(57)【要約】【課題】ランバーサポートの本体の形状を改変することにより、腰部の後面全体を快適に支持しうるようする。【解決手段】ランバーサポート１２における着座者の腰部を支持する本体１８を、可撓性を有する材料により形成するとともに、本体１８の前面形状を、平面視において、後方になだらかに凹入する円弧状の湾曲面とし、かつ同じく縦断面形状を、左右両側部の曲率が中央部のそれよりも大となる前方に凸の円弧状をなすようにする。【選択図】  図１２
2008237333.tif 000002
【特許請求の範囲】
【請求項１】
背凭れの前面に、ランバーサポートを、上下位置調節可能に装着してなる椅子におけるランバーサポート装置において、
前記ランバーサポートにおける着座者の腰部を支持する本体を、可撓性を有する材料により形成するとともに、前記本体の前面形状を、平面視において、後方になだらかに凹入する円弧状の湾曲面とし、かつ同じく縦断面形状を、左右両側部の曲率が中央部のそれよりも大となる前方に凸の円弧状をなすようにしたことを特徴とする椅子におけるランバーサポート装置。
【請求項２】
本体における円弧状をなす曲率を、本体中央部が最大で、左右両側端部に向かうにしたがって漸次小としてなる請求項１記載の椅子におけるランバーサポート装置。
【請求項３】
本体の正面形を、左右寸法が下方に向かって漸次小となるほぼ倒立台形としてなる請求項１または２記載の椅子におけるランバーサポート装置。
【請求項４】
本体における左右両側端の上部に、斜め外上方を向く吊支片を設け、この吊支片の上端部を、背凭れの左右両側部に取付けてなる請求項１〜３のいずれかに記載の椅子におけるランバーサポート装置。
【発明の詳細な説明】
【技術分野】
【０００１】
本発明は、椅子の背凭れに取付けられるランバーサポート装置に関する。
【背景技術】
【０００２】
本願出願人は、椅子の背凭れの前面に、ランバーサポートを、上下位置を調節しうるように取付けたランバーサポート装置を案出し、先に特許出願している(例えば特許文献１参照)。
【特許文献１】特開２００１−１２８７８７号公報
【発明の開示】
【発明が解決しようとする課題】
【０００３】
上記特許文献に記載されているランバーサポート装置においては、着座者の腰部を支持するランバーサポートの本体の形状は、単に横長帯状をなし、かつその前面中央部に、後方になだらかに湾曲する横長長方形かつ扁平な膨出部が形成されているのみであるため、腰部を本体に押し当てた際に、腰部の後面に添う形状に撓ませることは難しく、腰部の後面全体を快適に支持することができない。
【０００４】
本発明は、上記問題に鑑みてなされたもので、ランバーサポートの本体の形状を改変することにより、腰部の後面全体を快適に支持しうるようにした椅子におけるランバーサポート装置を提供することを目的としている。
【課題を解決するための手段】
【０００５】
本発明によると、上記課題は、次のようにして解決される。
（１）背凭れの前面に、ランバーサポートを、上下位置調節可能に装着してなる椅子におけるランバーサポート装置において、前記ランバーサポートにおける着座者の腰部を支持する本体を、可撓性を有する材料により形成するとともに、前記本体の前面形状を、平面視において、後方になだらかに凹入する円弧状の湾曲面とし、かつ同じく縦断面形状を、左右両側部の曲率が中央部のそれよりも大となる前方に凸の円弧状をなすようにする。
【０００６】
（２）上記(１)項において、本体における円弧状断面をなす曲率を、本体中央部が最大で、左右両側端部に向かうにしたがって漸次小とする。
【０００７】
（３）上記(１)または(２)項において、本体の正面形を、左右寸法が下方に向かって漸次小となるほぼ倒立台形とする。
【０００８】
（４）上記(１)〜(３)項のいずれかにおいて、本体における左右両側端の上部に、斜め外上方を向く吊支片を設け、この吊支片の上端部を、背凭れの左右両側部に取付ける。
【発明の効果】
【０００９】
請求項１記載の発明によれば、ランバーサポートの本体における前面の平面形を、後方になだらかに凹入する湾曲面とし、かつ縦断面形状を、左右両側部の曲率が中央部のそれよりも大きな円弧状としたことにより、腰部を本体の前面に押し当てた際、左右両側部の変形抵抗が小さく、中央部が大となる。
従って、左右両側部ほど、後向きに弾性変形し易く、腰椎部付近が当たる中央部は弾性変形しにくくなるため、本体は、腰部の後面に添う形状に弾性変形し、腰部の後面全体が安定よく快適に支持される。
【００１０】
請求項２記載の発明によれば、本体は、腰部の後面に添う形状に、後向きにより撓み易くなり、腰部の後面全体がさらに快適に支持される。
【００１１】
請求項３記載の発明によれば、本体両側部の上下寸法及び下部の左右幅が小さくなるので、本体両側部の変形抵抗がより小となり、腰部後面の両側部を快適に支持することができる。
【００１２】
請求項４記載の発明によれば、本体は、背凭れへの取付け部よりも下方に位置することとなるので、本体は、取付け部の剛性等に妨げられることなく、自由に弾性変形することができる。
【発明を実施するための最良の形態】
【００１３】
以下、本発明の実施形態を、図面に基づいて説明する。
図１は、本発明のランバーサポート装置を備える椅子の側面図で、椅子１は、先端にキャスタ２が取付けられた放射方向を向く５本の脚杆３よりなる脚体４と、脚体４の中央に立設され、内部に収容されたガススプリング(図示略)により上下位置を調節しうる脚柱５と、その上端に後部が水平回動可能に取付けられた支基６とを備えている。
【００１４】
支基６の前端部の両側面より起立する１対の座支持アーム７の上端には、座体８の前端下部の両側部が枢着されている。
支基６の中間部の両側面には、正面視下向きＵ字状をなすとともに、側面視前向きくの字状をなす背凭れ支持フレーム９における下端部の左右１対の前向杆９aの前端が、左右方向を向く枢軸１０をもって上下に回動可能に枢着されている。
左右の前向杆９aの上面には、座体８の後端下部の両側部が支持されている。
【００１５】
背凭れ支持フレーム９の起立部９bの前面には、背凭れ１１が取付けられ、この背凭れ１１における下端部の前面、すなわち座者の腰部が当たる、側面視くの字状に折曲された部分には、ランバーサポート１２(詳細は後述する)が取付けられている。
【００１６】
背凭れ１１は、図２及び図３に示すように、曲げ剛性の大きい正面視ほぼ方形をなす背枠１１aと、それにより囲まれた、後方になだらかな凸円弧状に湾曲する可撓性の背当て部１１bとからなり、全体が合成樹脂により一体成形されている。背当て部１１bの全面には、縦長スリット状の多数の開口１３が、上下及び左右方向に一定間隔おきに規則正しい配列で穿設されている。
【００１７】
図３に示すように、背枠１１aの後面における上端部と後下方への折曲部付近の左右両側には、背凭れ１１を、背凭れ支持フレーム９の起立部９b前面に取付けるための左右１対ずつの取付部１４a、１４bが、後向きに突設されている。
また、背枠１１aの後面における上下方向の中央よりもやや下方寄りの左右両側部に突設された上下方向を向く凸条１５には、図４の縦断面図にも示すように、後方と外側方に開口するとともに、外側方に向かって漸次拡開する楔状をなす上下複数の係合溝１６が、背当て部１１bと近接するようにして、連続的に形成されている。
【００１８】
背枠１１aの後面には、補強用のリブ１７が、上下部においては、背当て部１１bの上下両端と近接し、左右両側部においては、背枠１１aの左右幅の中間部に位置するようにして、後向きに、かつ連続して突設されている。
【００１９】
ランバーサポート１２は、図２及び図７〜図１２に示すように、背当て部１１bの左右寸法より若干短寸をなす、板厚が２〜３mm程度の帯板状の本体１８と、その左右両端の上部から斜め外上方に延出する左右１対の吊支片１９、１９と、両吊支片１９の上端より外向き水平に延出し、背凭れ１１よりも外方において把持可能な操作把手２０、２０とを備え、全体が、可撓性を有するポリプロピレン等の合成樹脂により一体成形されている。
【００２０】
図８及び図９に示すように、本体１８の正面形は、左右寸法が下方に向かって漸次小とされた概ね倒立台形をなすとともに、前面(図９の紙面手前が前)の形状は、平面視において後方になだらかに凹入する円弧状の湾曲面とされている。
また、図１０〜図１２に示すように、本体１８の縦断面形状は、中央部の曲率が最大で、左右両側端部に向かうにしたがって漸次小となる、側面視において前方に凸状に膨出する円弧状とされている。
【００２１】
左右の操作把手２０は、背枠１１aの側部の前面側に位置する、前後方向に弾性変形不能な前部指掛片２１と、その後面の内端部より内向きＵ字状に折り返された、背枠１１aの後面側に位置する弾性変形可能な抱持片２２と、この抱持片２２の内端よりさらに内向きに延出する平面視前向きＵ字状をなす係合片２３と、前部指掛片２１と前後に対向するように、係合片２３の外側面に外向きに連設された後部指掛片２４とからなり、係合片２３の前端部の内側面には、上記背枠１１aの後面に設けた複数の係合溝１６に後方より選択的に係合可能な係合突部２５が、内向きに突設されている。
【００２２】
係合突部２５は、係合溝１６に後方より容易に係合しうるように、それとほぼ補形をなす先細り状とされている。
係合片２３は、背枠１１aの後面の上下方向を向くリブ１７を跨いで避けうるように、前向きＵ字状に折曲させてあり、また係合片２３内の外側の内面を、リブ１７の外側面に当接又は近接させることにより、ランバーサポート１２を、左右方向のがたつきを防止しながら円滑に上下に移動させうるようになっている(図５参照)。
【００２３】
前部指掛片２１と抱持片２２と後部指掛片２４とにより、操作把手２０は、平面視ほぼ外向きコ字状に形成され、図１３に示すように、前部指掛片２１と後部指掛片２４とを指で把持し、後部指掛片２４を前方に押動させると、その基部付近を支点として、係合片２３全体が後向きに弾性変形することにより、本体１８と係合片２３との対向面間の隙間が拡開するようになる。
【００２４】
このような構造のランバーサポート１２を背凭れ１１に取付けるには、まずランバーサポート１２を、背凭れ１１の下方に位置させ、本体１８の両側端部と、左右の操作把手２０における抱持片２２とにより、背枠１１aの両側部を挟み込むようにして、下端より挿入する。
【００２５】
ついで、ランバーサポート１２を、その左右の操作把手２０が背枠１１aの両側部後面に設けた係合溝１６の直下に位置するまで、上方にスライドさせたのち、図１２に示すように、左右の操作把手２０における前部指掛片２１と後部指掛片２４を把持し、係合片２３の基部を後向きに弾性変形させて拡開させながら、さらに上方にスライドさせる。
【００２６】
この状態で操作把手２０から手を離し、左右の係合片２３に突設した係合突部２５を、左右において互いに等高をなす上下いずれかの係合溝１６と係合させれば、ランバーサポート１２は、背凭れ１１に取付けられる(図２、図５参照)。
ランバーサポート１２を取付けた状態では、図５及び図６に示すように、本体１８における左右両側部を除いた中間部の上下の後端面が、背当て部１１bの前面と当接または近接するとともに、本体１８の左右両側部の後面と背当て部１１bの前面との間には、図１及び図５に示すように、上下方向と外側方に開口する隙間Ｓが形成されて、互いに離間するようになっている。
【００２７】
ランバーサポート１２の上下位置を調節するには、上述したように、左右の操作把手２０における前部指掛片２１と後部指掛片２４とを把持して、係合片２３を後向きに拡開させ、係合突部２５を係合溝１６より離脱させながら、ランバーサポート１２を所望の位置まで上下動させ、その位置で操作把手２０から手を離して、係合突部２５を他の係合溝１６と再度係合させればよい。
【００２８】
この調節を、座体に着座したまま行うときには、図１３に示すように、手のひらを上方に向けて、操作把手２０における前部指掛片２１の前面に親指を掛け、残りの４指のいずれかにより、後部指掛片２４の後面を前方に押動操作するのみで、すなわち操作把手２０をつまんだ指の動きのみで、ランバーサポート１２の上下の位置調節を極めて容易に行うことができる。
【００２９】
ランバーサポート１２の本体１８は、その前面の形状が、平面視において後方になだらかに湾曲する円弧状の湾曲面とされ、かつ縦断面形状を、中央部の曲率が最大で、左右両側端部に向かうにしたがって漸次曲率が小となる、側面視において前方に凸状に膨出する円弧状とするとともに、本体１８と背当て部１１bとの間には撓み空間Ｓが形成されており、さらに、正面形を、左右寸法が下方に向かって漸次小をなす概ね倒立台形としてあるので、本体１８に腰部を押し当てた際に、左右両側部ほど、後向きに弾性変形し易くなり、腰部の両側部後面が快適に支持される。
【００３０】
また、本体１８の中央部は、左右両側部よりも小さな曲率の円弧状断面とされているので、その部分の後方への変形抵抗が大となって、撓み量が小となり、腰椎部付近の支持力が大きくなる。
従って、ランバーサポート１２の本体１８は、腰部の後面に添う形状に弾性変形するようになり、腰部の後面全体が、安定よく快適に支持される。
【００３１】
なお、上記実施形態においては、背枠１１aの両側部の後面に、凸条１５を突設し、この凸条１５に設けた上下複数の係合溝１６に、ランバーサポート１２における操作把手２０の係合片２３に突設した係合突部２５を、選択的に係合させるようにしているが、これとは反対に、背枠１１aの後面側に、上下複数の係合突部を、操作把手２０の係合片２３側に、係合溝又は係合孔をそれぞれ設けることもある。この際には、係合片２３の先端部を内向きに折曲し、この折曲部に係合溝又は係合孔を設ければよい。
【００３２】
また、上記実施形態では、抱持片２２の内端に、背枠１１aのリブ１７を避けるＵ字状の係合片２３を連設し、この係合片２３に係合突部２５を設けているが、リブ１７を有していないときには、若干長寸とした抱持片２２のみとし、その内端部に係合突部２５を設けてもよい。この際には、抱持片２２の基端部に、後部指掛片２４を、これを前方に操作したとき抱持片２２が後向きに弾性変形しうるように連設すればよい。
【００３３】
背枠１１aの両側部の後面に、後方に開口する上下複数の係合溝を直接設け、この係合溝に、操作把手２０の内端部に前向きに突設した係合突部を、選択的に係合させるようにしてもよい。
【図面の簡単な説明】
【００３４】
【図１】本発明のランバーサポート装置を備える椅子の側面図である。
【図２】同じく、ランバーサポートを取付けた背凭れの正面図である。
【図３】同じく、背凭れの後面図である。
【図４】図３のIV-IV線拡大縦断側面図である。
【図５】図２のV-V線拡大横断平面図である。
【図６】同じく、VI-VI線拡大縦断端面図である。
【図７】ランバーサポートの斜視図である。
【図８】同じく、正面図である。
【図９】同じく、平面図である。
【図１０】図８のX-X線拡大縦断側面図である。
【図１１】同じく、XI-XI線拡大縦断側面図である。
【図１２】同じく、XII-XII線拡大縦断側面図である。
【図１３】操作把手の操作例を示す平面図である。
【符号の説明】
【００３５】
１    椅子
２    キャスタ
３    脚杆
４    脚体
５    脚柱
６    支基
７    座支持アーム
８    座体
９    背凭れ支持フレーム
９a   前向杆
９b   起立部
１０  枢軸
１１  背凭れ
１１a 背枠
１１b 背当て部
１２  ランバーサポート
１３  開口
１４a 取付部
１４b 取付部
１５  凸条
１６  係合溝
１７  リブ
１８  本体
１９  吊支片
２０  操作把手
２１  前部指掛片
２２  抱持片
２３  係合片
２４  後部指掛片
２５  係合突部
Ｓ    撓み空間
【図１】
2008237333.tif 000003
【図２】
2008237333.tif 000004
【図３】
2008237333.tif 000005
【図４】
2008237333.tif 000006
【図５】
2008237333.tif 000007
【図６】
2008237333.tif 000008
【図７】
2008237333.tif 000009
【図８】
2008237333.tif 000010
【図９】
2008237333.tif 000011
【図１０】
2008237333.tif 000012
【図１１】
2008237333.tif 000013
【図１２】
2008237333.tif 000014
【図１３】
2008237333.tif 000015